(57)【要約】【課題】  簡単な構成で天地反転（１８０°回転）した映像の表示することができ、その場合にも外部機器への出力を正常に行うことがで、また天地反転した場合でも直感力に優れた操作性を実現することができる再生装置を提供すること。【解決手段】  表示部２自体が映像を反転させて表示するように構成しているので、天地を反転するモードに設定してもＡＶ  ＯＵＴ  コネクタ５ｅから出力される映像データは天地が反転されていない。よって、例えばＡＶ  ＯＵＴ  コネクタ５ｅに接続されたテレビなどのモニタには天地反転していない通常の画面を表示することができる。【選択図】  図５
2006011836.tif 000002
【特許請求の範囲】
【請求項１】
少なくとも映像データを出力する出力手段と、
前記出力手段から入力した映像データに基づき映像を表示すると共に、天地反転信号に基づき前記入力した映像データから天地を反転させた映像を表示することが可能な表示部と、
前記表示部の周囲で、かつ、前記表示部に表示される映像とほぼ平行になるように配置され、共通であるが相互に逆の関係なる機能が割り当てられた一対の操作ボタンと、
前記天地反転信号を出力すると共に、前記一対の操作ボタンの機能の割当を反転させる制御手段と、
前記出力手段から入力した映像データを外部に出力するための出力端子と
を具備することを特徴とする再生装置。
【請求項２】
請求項１に記載の再生装置であって、
前記一対の操作ボタンには、左右対称の表示マークが設けられ、
前記制御部は、左右非対称の表示マークが設けられている他の一対の操作ボタンについては機能の割当を反転を規制することを特徴とする再生装置。
【請求項３】
請求項１に記載の再生装置であって、
前記共通であるが相互に逆の関係なる機能とは、映像の早送りと早戻しの機能であることを特徴とする再生装置。
【請求項４】
請求項１に記載の再生装置であって、
前記共通であるが相互に逆の関係なる機能とは、画面を所定の順番に切り替える機能と画面を所定の順番とは逆の順番に切り替える機能であることを特徴とする再生装置。
【発明の詳細な説明】
【技術分野】
【０００１】
本発明は、例えば映像を天地反転させて表示する機能を有する再生装置に関する。
【背景技術】
【０００２】
天地反転させて表示する機能を有する装置としては、例えば特許文献１に開示されている。この特許文献１の装置では、左利き用にタッチパネル付き液晶パネルの表示を天地反転することが可能であり、その際に矢印キー（上下左右のカーソルキー）などの割当も反転させるようにしている。
【特許文献１】特開２００２−２１５３０４号公報
【発明の開示】
【発明が解決しようとする課題】
【０００３】
しかしながら、特許文献１では、ＣＰＵが天地を反転する画面を生成するように構成されているので、例えば外部端子を設けてその画面を外部に出力させるような機能を付加した場合に外部機器には天地が反転する画面が表示されてしまう。そのために特別な処理装置を設けることが考えられるが、構成が非常に複雑になる、という問題がある。
【０００４】
本発明の目的は、簡単な構成で天地反転（１８０°回転）した映像を表示することができ、その場合にも外部機器への出力を正常に行うことができる再生装置を提供することにある。
【０００５】
本発明の別の目的は、天地反転した場合でも直感力に優れた操作性を実現することが可能な再生装置を提供することにある。
【課題を解決するための手段】
【０００６】
上記目的を達成するため、本発明に係る再生装置は、少なくとも映像データを出力する出力手段と、前記出力手段から入力した映像データに基づき映像を表示すると共に、天地反転信号に基づき前記入力した映像データから天地を反転させた映像を表示することが可能な表示部と、前記表示部の周囲で、かつ、前記表示部に表示される映像とほぼ平行になるように配置され、共通であるが相互に逆の関係なる機能が割り当てられた一対の操作ボタンと、前記天地反転信号を出力すると共に、前記一対の操作ボタンの機能の割当を反転させる制御手段と、前記出力手段から入力した映像データを外部に出力するための出力端子とを具備する。
【０００７】
本発明では、表示部が独立して天地を反転させた表示をすることが可能であるので、天地を反転させたとしても出力端子から出力される映像データは天地が反転されていない。従って、テレビなどのモニタに出力端子を介して映像を映し出す場合に、反転された映像が表示されることはない。また、天地反転の際に、共通であるが相互に逆の関係なる機能が割り当てられた一対の操作ボタンについて 機能の割当を反転させているので、直感力に優れた操作性を実現することが可能になる。
【０００８】
共通であるが相互に逆の関係なる機能とは、例えば映像の早送りと早戻しの機能や画面をＡ→B→Cに切り替える機能とC→B→Ａに切り替える機能などである。
【０００９】
天地反転の切り替えは、画面上でユーザが設定してもいいし、天地反転を検出するセンサを設けて自動的に切り替えるようにしてもいい。
【００１０】
本発明の再生装置では、前記一対の操作ボタンには、左右対称の表示マークが設けられ、前記制御部は、左右非対称の表示マークが設けられている他の一対の操作ボタンについては機能の割当を反転を規制することを特徴としている。
【００１１】
左右対称の表示マークが設けられている一対の操作ボタンについては機能の割当を反転させると、誤操作の原因になる恐れがあるからである。
【００１２】
ここで、左右対称の表示マークとは、例えば「←」と「→」であり、また左右非対称の表示マークとは「ｅｎｔｅr」と「ｂａｃｋ」である。
【発明の効果】
【００１３】
以上のように、本発明によれば、簡単な構成で天地反転（１８０°回転）した映像の表示することができ、その場合にも外部機器への出力を正常に行うことができる。また、天地反転した場合でも直感力に優れた操作性を実現することができる
【発明を実施するための最良の形態】
【００１４】
以下、本発明に係る実施の形態を図面を参照して説明する。
【００１５】
図１は本発明の一実施形態に係る再生装置の外観を示す正面図、図２はその平面図、図３は左側面図である。
【００１６】
これの図に示す再生装置１は、例えばＰＤＡのようにいわばハンドヘルドタイプと呼ばれる程度の大きさで、片手で持ちながら映像や静止画を見たり、例えばポケットの中に入れてヘッドフォンを介して音楽を聴いたりすることができるようになっている。また、再生装置１は、ＵＳＢケーブルを介してパソコンに接続したときにパソコン側からみた外付けハードディスク装置として機能する。
【００１７】
図１に示すように、再生装置１の正面には、例えば３．５インチ程度の大きさの液晶装置からなる表示部２が配置されている。図中表示部右側には、操作パネル３が設けられている。
【００１８】
操作パネル３には、タイトルリスト画面でのタブの切り換えやコンテンツ再生画面での再生内容の早送りや、早戻しなどの操作を行うための←ボタン３ａ、→ボタン３ｂ、操作の取り消しや前の画面に戻るとき、ファイルの再生を停止するときに用いられるＢＡＣＫボタン３ｄ、項目の選択や機能を実行、ファイルを再生／表示するときに用いられるＥＮＴＥＲボタン３ｃ、タイトルリスト画面で選択項目を上下方向に送るときに用いられる↑／↓ボタン３ｅが設けられている。これらのボタンは軽く触れるだけで動作するタッチセンサが内蔵されているものであり、かつ、ボタンの表面は凹んでいて誤接触による誤動作を防止することができる。また、←ボタン３ａには「←」の表示マーク、→ボタン３ｂには「→」の表示マーク、ＥＮＴＥＲボタン３ｃには「ＥＮＴＥＲ」の表示マーク、ＢＡＣＫボタン３ｄには「ＢＡＣＫ」の表示マークがそれぞれパネルに表示されている。
【００１９】
図２に示すように、再生装置１の上面部には、点灯パターンによって動作状況（例えば緑の点灯は電源オン、オレンジの点灯は内蔵バッテリの充電中、緑の点滅は接続されたパソコンから内蔵ハードディスクへのアクセス中、オレンジの点滅は内蔵バッテリの容量が少ないことを示す。）が確認できるアクセスランプ４ａ、電源を入れるとき切るときには「ＰＯＷＥＲ」側に１秒以上押し続け、「ＨＯＬＤ」側にセットしておくと操作ボタンを無効にすることが可能な電源スイッチ４ｂ、動画ファイルや音楽ファイルの再生時の音量を調節するための−音量ボタン４ｃ、＋音量ボタン４ｄ、現在表示されている画面で実行できる操作（ツール）のメニューを表示部２に表示させるためのＴＯＯＬＳボタン４ｅが設けられている。
【００２０】
図３に示すように、再生装置１の左側面部には、ヘッドホンコネクタ５ａ、開閉可能なキャップ５ｂが設けられている。図４はキャップ５ｂを開いた状態を示している。キャップ５ｂが開かれた部分には、ＡＣアダプタを接続するためのＤＣ  ＩＮ  コネクタ５ｃ、ＵＳＢケーブルを接続するためのＵＳＢコネクタ５ｄ、本再生装置１で再生する動画の映像をテレビ等に映し出すためのケーブルが接続されるＡＶ  ＯＵＴ  コネクタ５ｅが設けられている。
【００２１】
図５はこの再生装置１の概略構成を示すブロック図である。   同図において、６は２０Ｇバイト程度の記憶容量を有し、音楽データ、映像データ、フォトデータ等を記憶するハードディスク、７はＵＳＢインターフェース部、８は各部の動作を制御すると共にＭＰＥＧデコーダとしても機能するＣＰＵ／ＤＳＰ部である。アナログスイッチ９はＵＳＢコネクタ５ｄにＵＳＢケーブルを介してパソコンが接続されたときに、パソコンからみてハードディスク６だけが見えるようにするためのアナログスイッチである。
【００２２】
ＣＰＵ／ＤＳＰ部８には、フラッシュメモリ１０やＳＤＲＡＭ１１が接続されている。ＣＰＵ／ＤＳＰ部８には、上記の表示部２が接続され、表示部２の裏面又は側面には、バックライト１２が設けられている。電源供給部１３は、表示部２やバックライト１２、アクセスランプ４ａに電源を供給する。
【００２３】
ＣＰＵ／ＤＳＰ部８には、７５Ω程度のインピーダンス整合を図るドライバー１４を介してＡＶ  ＯＵＴ  コネクタ５ｅが接続され、ディジタル・アナログコンバータ１５を介してヘッドホンコネクタ５ａが接続されている。   １６はバッテリバックアップタイプ（電源オフ時に電源が供給され動作している。）のサブＣＰＵであり、バッテリバックアップタイプのメモリ１６ａを内蔵している。サブＣＰＵ１６は、バッテリやそれに伴うアクセスランプ４ａの管理や、レジューム機能の管理等を行う。このサブＣＰＵ１６はＣＰＵ／ＤＳＰ部８や操作パネル３の操作ボタン等のキー部１７と接続されている。
【００２４】
１８はリチウムイオンバッテリであり、バッテリチャージ部１９を介してＤＣ  ＩＮ  コネクタ５ｃと接続されている。また、ＤＣ／ＤＣコンバータ２０はリチウムイオンバッテリ１８のＤＣ電源を３．３Ｖや１．５ＶのＤＣ電源に変換して各部に供給している。
【００２５】
図６は上記の表示部２の構成の一例を示す図である。  
【００２６】
図６において、２ａは第１のガラス基板、２ｂは第２のガラス基板であり、これらのガラス基板２ａ、２ｂ間には液晶が介在され封止されている。
【００２７】
第１のガラス基板２ａの突き出し部のＹ側には、多数の走査配線２ｃが液晶介在部から導出されており、またＸ側には多数のデータ配線２ｄが液晶介在部から導出されている。
【００２８】
走査配線２ｃには通常の走査用ドライバー２ｅと天地反転用の走査用ドライバー２ｆが接続されている。データ配線２ｄには通常のデータ用ドライバー２ｇと天地反転用のデータ用ドライバー２ｈが接続されている。
【００２９】
通常の走査用ドライバー２ｅと天地反転用の走査用ドライバー２ｆは単に上下を反転さて接続させたものを用いることができる。また、通常のデータ用ドライバー２ｇと天地反転用のデータ用ドライバー２ｈとは単に左右を反転させて接続したものを用いることができる。
【００３０】
表示制御部２ｉは、ＣＰＵ／ＤＳＰ部８から入力した映像データ等を液晶に表示するための処理を行い、通常の走査用ドライバー２ｅ又は天地反転用の走査用ドライバー２ｆ、通常のデータ用ドライバー２ｇ又は天地反転用のデータ用ドライバー２ｈに所定の信号を出力する。
【００３１】
表示制御部２ｉは、通常の表所のときには、通常の走査用ドライバー２ｅと通常のデータ用ドライバー２ｇに信号を出力するが、ＣＰＵ／ＤＳＰ部８から天地反転信号を入力すると、天地反転用の走査用ドライバー２ｆと天地反転用のデータ用ドライバー２ｈに信号を出力する。
【００３２】
次に、表示部２に表示される画面と操作ボタン等との関係を説明する。
この再生装置１では、電源スイッチ４ｂをオンすると、サブＣＰＵ１６に記憶されていたデータに基づき直近の終了時の状態が再現される（レジューム機能）。   その状態が例えば図７に示すように「Ｖｉｄｅｏ」のタイトルリスト画面が表示されていたとする。この状態から→ボタン３ｂを押す（触れる）と、図８に示す「Ｍｕｓｉｃ」のタイトルリスト画面が表示され、更に→ボタン３ｂを押すと図９に示す「Ｐｈｏｔｏ」のタイトルリスト画面が表示され、更に→ボタン３ｂを押すと図１０に示す「Ｓｅｔｕｐ」のタイトルリスト画面が表示される。←ボタン３ａを押した場合には、その逆にタイトルリスト画面が切り替わる。即ち、→ボタン３ｂを押すことで、タイトルリスト画面は「Ｖｉｄｅｏ」、「Ｍｕｓｉｃ」、「Ｐｈｏｔｏ」、「Ｓｅｔｕｐ」の順番で切り替わり、←ボタン３ａを押すことで、タイトルリスト画面は「Ｓｅｔｕｐ」、「Ｐｈｏｔｏ」、「Ｍｕｓｉｃ」、「Ｖｉｄｅｏ」の順番で切り替わる。   「Ｓｅｔｕｐ」の「画面回転」によって図１１に示す通常の画面と図１２に示す天地反転した画面（１８０°回転した画面）とに切り替えができるようなっている。天地反転した画面は左利きのユーザが使用したり、右利きで使っていて疲れてきた場合に等に使用することができる。
【００３３】
次に、このような天地反転の動作を図１３に示すフローチャートに基づき説明する。
【００３４】
上記のように天地反転した画面に切り替えられると（ステップ１３０１）、ＣＰＵ／ＤＳＰ部８から天地反転信号が出力され（ステップ１３０２）、この天地反転信号が表示部２の表示制御部２ｉに入力され、表示部２では天地反転した画面、例えば映像が表示される。これと共に、図１４に示すテーブル（例えばフラッシュメモリ１０に記憶されている。）を読みにいきボタンの機能の割当を「標準」から「天地反転」に変更する（ステップ１３０３）。
【００３５】
つまり、この例では、←ボタン３ａと→ボタン３ｂとの機能の割当が反転する。より具体的には、標準では→ボタン３ｂを押すことで、タイトルリスト画面は「Ｖｉｄｅｏ」、「Ｍｕｓｉｃ」、「Ｐｈｏｔｏ」、「Ｓｅｔｕｐ」の順番で切り替わり、←ボタン３ａを押すことで、タイトルリスト画面は「Ｓｅｔｕｐ」、「Ｐｈｏｔｏ」、「Ｍｕｓｉｃ」、「Ｖｉｄｅｏ」の順番で切り替わっていたが、天地反転がされると←ボタン３ａを押すことで、タイトルリスト画面は「Ｖｉｄｅｏ」、「Ｍｕｓｉｃ」、「Ｐｈｏｔｏ」、「Ｓｅｔｕｐ」の順番で切り替わり、→ボタン３ｂを押すことで、タイトルリスト画面は「Ｓｅｔｕｐ」、「Ｐｈｏｔｏ」、「Ｍｕｓｉｃ」、「Ｖｉｄｅｏ」の順番で切り替わるようになる。
【００３６】
この状態で、ＡＶ  ＯＵＴ  コネクタ５ｅから出力される映像データは天地が反転されていないので、例えばＡＶ  ＯＵＴ  コネクタ５ｅに接続されたテレビなどのモニタには天地反転していない通常の画面が表示される。
【００３７】
また、標準で映像ファイルの再生中に→ボタン３ｂを押すと早送り、←ボタン３ａを押すと早戻りとなっていたものが、天地反転がされると←ボタン３ａを押すと早送り、→ボタン３ｂを押すと早戻りとなる。
【００３８】
一方、天地反転した画面から標準の画面に切り替えられると（ステップ１５０１）、ＣＰＵ／ＤＳＰ部８から標準信号が出力され（ステップ１５０２）、この標準信号が表示部２の表示制御部２ｉに入力され、表示部２では標準の画面、例えば映像が表示される。これと共に、図１４に示すテーブル（例えばフラッシュメモリ１０に記憶されている。）を読みにいきボタンの機能の割当を「天地反転」から「標準」に変更する（ステップ１５０３）。
【００３９】
以上のように、本実施形態に係る再生装置では、表示部２自体が映像を反転させて表示するように構成しているので、天地を反転するモードに設定してもＡＶ  ＯＵＴ  コネクタ５ｅから出力される映像データは天地が反転されていない。よって、例えばＡＶ  ＯＵＴ  コネクタ５ｅに接続されたテレビなどのモニタには天地反転していない通常の画面を表示することができる。特に、本実施形態に係る再生装置は、このような機能を非常に簡単な構成で実現することが可能である。
【００４０】
なお、本発明は上記の実施形態に限定されない。
【００４１】
上記の実施形態では、天地反転を反転させると←ボタン３ａと→ボタン３ｂとの機能の割当を反転させるものであったが、ＥＮＴＥＲボタン３ｃとＢＡＣＫボタン３ｄとの機能の割当を反転させるようにしても勿論構わない。この場合、左右対称となるような表示マークした方がより好ましい。このような場合の図１４に対応するテーブルを図１６に示す。
【００４２】
また、図１７に示すようにテーブルを持たせることで、←ボタン３ａと→ボタン３ｂとの機能の割当を反転させるものを、ＥＮＴＥＲボタン３ｃとＢＡＣＫボタン３ｄのある位置にもってくることができる。つまり、標準で←ボタン３ａと→ボタン３ｂが下にあったものが、天地反転しても下に位置させることができる。また、図１８に示すテーブルを持たせることで、ＥＮＴＥＲボタン３ｃとＢＡＣＫボタン３ｄも反転させることができる。
【００４３】
なお、このようなテーブルを含めたファームウェアのバージョンアップは、例えばＵＳＢコネクタ５ｄにＵＳＢケーブルを介してパソコンが接続されたときにパソコン側から行うようにすればいい。その場合に、一旦バージョンアップのデータをハードディスク６に蓄積し、ユーザに対して表示部２を介してバージョンアップの了解をとるようにすればいい。このような了解モードを有することで、パソコンではなく表示手段を持たないような機器からバージョンアップのデータを受け取った場合に、了解を視覚的に行うことが可能である。
【図面の簡単な説明】
【００４４】
【図１】本発明の一実施形態に係る再生装置の外観を示す正面図である。
【図２】図１に示した再生装置の平面図である。
【図３】図１に示した再生装置の左側面図である。
【図４】図３の側面をキャップを空けた状態を示す図である。
【図５】図１に示した再生装置の概略構成を示すブロック図である。
【図６】表示部の構成を示す図である。
【図７】図１に示した再生装置の表示部に表示される「Ｖｉｄｅｏ」のタイトルリスト画面を示すである。
【図８】図１に示した再生装置の表示部に表示される「Ｍｕｓｉｃ」のタイトルリスト画面を示す図である。
【図９】図１に示した再生装置の表示部に表示される「Ｐｈｏｔｏ」のタイトルリスト画面を示す図である。
【図１０】図１に示した再生装置の表示部に表示される「Ｓｅｔｕｐ」のタイトルリスト画面を示す図である。
【図１１】図１に示した再生装置の表示部に表示される通常の画面の一例を示す図である。
【図１２】図１に示した再生装置の表示部に表示される天地反転の画面の一例を示す図である。
【図１３】天地反転の動作を示すフローチャートである。
【図１４】ボタン切り替えようのテーブルの一例を示す図である。
【図１５】天地反転から標準に戻す動作を示すフローチャートである。
【図１６】ボタン切り替えようのテーブルの他の例を示す図である。
【図１７】ボタン切り替えようのテーブルの別の例を示す図である。
【図１８】ボタン切り替えようのテーブルの更に別の例を示す図である。
【符号の説明】
【００４５】
１  再生装置
２  表示部
３  操作パネル
３ａ  ←ボタン
３ｂ  →ボタン
３ｃ  ＥＮＴＥＲボタン
３ｄ  ＢＡＣＫボタン
５ｅ  ＡＶ  ＯＵＴ  コネクタ
６  ハードディスク
８  ＣＰＵ／ＤＳＰ部
【図１】
2006011836.tif 000003
【図２】
2006011836.tif 000004
【図３】
2006011836.tif 000005
【図４】
2006011836.tif 000006
【図５】
2006011836.tif 000007
【図６】
2006011836.tif 000008
【図７】
2006011836.tif 000009
【図８】
2006011836.tif 000010
【図９】
2006011836.tif 000011
【図１０】
2006011836.tif 000012
【図１１】
2006011836.tif 000013
【図１２】
2006011836.tif 000014
【図１３】
2006011836.tif 000015
【図１４】
2006011836.tif 000016
【図１５】
2006011836.tif 000017
【図１６】
2006011836.tif 000018
【図１７】
2006011836.tif 000019
【図１８】
2006011836.tif 000020